(57)【要約】【課題】無駄な水の放出がなく直ぐに温水の供給が得られる貯湯式給湯装置を提供する。【解決手段】内方に備えた内缶２との間に貯湯室３を形成した外缶１と、前記内缶２内に形成され燃焼バーナ４が臨んだ燃焼室５と、この燃焼室５と外缶１上部の排気室７とを貯湯室３を通って連通させる複数本の煙管６とを備え、燃焼バーナ４の燃焼や排ガスを煙管６を通して排気することによる熱交換で、貯湯室３内の水を加熱して温水とし、外缶１上端に備えた給湯管１８から給湯するようにしたもので、前記外缶１の外周で内缶２の上端部分と、該外缶１上部とを連通する循環ポンプ１７を備えた連絡管１４を設け、前記循環ポンプ１７は燃焼バーナ４の燃焼開始時の所定時間のみ駆動して、内缶２上端の高温水を吸引し、外缶１上部に放出するようにしたから、瞬時に温水の供給が開始され、水を無駄に捨てられることが防止され、経済的で省エネの給湯が常に行われるものである。【選択図】図１
2010185602.tif 000002
【特許請求の範囲】
【請求項１】
内方に備えた内缶との間に貯湯室を形成した外缶と、前記内缶内に形成され燃焼バーナが臨んだ燃焼室と、この燃焼室と外缶上部の排気室とを貯湯室を通って連通させる複数本の煙管とを備え、燃焼バーナの燃焼や排ガスを煙管を通して排気することによる熱交換で、貯湯室内の水を加熱して温水とし、外缶上端に備えた給湯管から給湯するようにしたものに於いて、前記外缶の外周で内缶の上端部分と、該外缶上部とを連通する循環ポンプを備えた連絡管を設け、前記循環ポンプは燃焼バーナの燃焼開始時の所定時間のみ駆動して、内缶上端の高温水を吸引し、外缶上部に放出するようにした事を特徴とする貯湯式給湯装置。
【請求項２】
内方に備えた内缶との間に貯湯室を形成した外缶と、前記内缶内に形成され燃焼バーナが臨んだ燃焼室と、この燃焼室と外缶上部の排気室とを貯湯室を通って連通させる複数本の煙管と、この煙管外周を巻回した風呂用熱交換器と、前記風呂用熱交換器と風呂ポンプを備えた風呂循環回路を介して連通した浴槽とを備え、燃焼バーナの燃焼や排ガスを煙管を通して排気することによる熱交換で、貯湯室内の水を加熱して温水とし、この温水と風呂用熱交換器内を流通する浴槽水とを熱交換して風呂を沸き上げるようにしたものに於いて、前記外缶の外周で内缶の上端部分と、該外缶上部とを連通する循環ポンプを備えた連絡管を設け、前記循環ポンプは風呂の沸き上げ時には駆動して、内缶上端の高温水を吸引し、外缶上部に放出するようにした事を特徴とする貯湯式給湯装置。
【発明の詳細な説明】
【技術分野】
【０００１】
この発明は、煙管を備えたセミ貯湯タイプと言われる貯湯式の給湯装置に関するものである。
【背景技術】
【０００２】
従来よりこの種のものでは、内缶と外缶との間に貯湯室を形成し、この貯湯室内を内缶の燃焼室に臨んだ燃焼バーナの燃焼で発生した排ガスが流通する煙管を備え、給湯の開始と同時に燃焼バーナを燃焼開始させて、貯湯室内の水を内缶及び煙管による熱交換で温水にして給湯するものであった。
【先行技術文献】
【特許文献】
【０００３】
【特許文献１】実開昭６１−９８９４４号公報
【発明の概要】
【発明が解決しようとする課題】
【０００４】
ところでこの従来のものでは、給湯要求があって初めて燃焼バーナを燃焼開始させて、貯湯室に貯湯してある水を熱交換により温水に生成するので、蛇口で水から温水に変わるまで時間がかかり、それまで無駄に水が流れて不経済であり省エネに反すると言う課題を有するものであった。
又貯湯タイプで風呂用熱交換器を貯湯室に内蔵したものでは、温水の流れがまったくなく、熱効率が悪く、沸き上がりに時間がかかると言う課題を有するものであった。
【課題を解決するための手段】
【０００５】
この発明は上記課題を解決する為に、特にその構成を、請求項１では、内方に備えた内缶との間に貯湯室を形成した外缶と、前記内缶内に形成され燃焼バーナが臨んだ燃焼室と、この燃焼室と外缶上部の排気室とを貯湯室を通って連通させる複数本の煙管とを備え、燃焼バーナの燃焼や排ガスを煙管を通して排気することによる熱交換で、貯湯室内の水を加熱して温水とし、外缶上端に備えた給湯管から給湯するようにしたものに於いて、前記外缶の外周で内缶の上端部分と、該外缶上部とを連通する循環ポンプを備えた連絡管を設け、前記循環ポンプは燃焼バーナの燃焼開始時の所定時間のみ駆動して、内缶上端の高温水を吸引し、外缶上部に放出するようにしたものである。
【０００６】
又請求項２では、内方に備えた内缶との間に貯湯室を形成した外缶と、前記内缶内に形成され燃焼バーナが臨んだ燃焼室と、この燃焼室と外缶上部の排気室とを貯湯室を通って連通させる複数本の煙管と、この煙管外周を巻回した風呂用熱交換器と、前記風呂用熱交換器と風呂ポンプを備えた風呂循環回路を介して連通した浴槽とを備え、燃焼バーナの燃焼や排ガスを煙管を通して排気することによる熱交換で、貯湯室内の水を加熱して温水とし、この温水と風呂用熱交換器内を流通する浴槽水とを熱交換して風呂を沸き上げるようにしたものに於いて、前記外缶の外周で内缶の上端部分と、該外缶上部とを連通する循環ポンプを備えた連絡管を設け、前記循環ポンプは風呂の沸き上げ時には駆動して、内缶上端の高温水を吸引し、外缶上部に放出するようにしたものである。
【発明の効果】
【０００７】
以上のように請求項１によれば、給湯要求があり燃焼バーナが燃焼開始すると同時に循環ポンプも駆動し、内缶上端の高温水を吸引し、外缶上部に放出するようにしたので、貯湯室内に煙管と接触しながらか給湯管に向かう流が出来、瞬時に温水の供給が開始され、水を無駄に捨てられることが防止され、セミ貯湯タイプでも経済的で省エネの給湯が常に行われるものである。
【０００８】
又請求項２によれば、循環ポンプは風呂の沸き上げ時には駆動して、内缶上端の高温水を吸引し、外缶上部に放出するようにしたので、貯湯室内に煙管と接触しながら下方に向かう流れが出来、この対流により風呂用熱交換器の熱効率が上昇し、短時間に風呂を沸き上げることが出来て、極めて効率が良く経済的で省エネにもなり、常に安心して使用出来るものである。
【図面の簡単な説明】
【０００９】
【図１】この発明の一実施形態を示す貯湯式給湯装置の要部構成図。
【図２】同要部電気回路のブロック図。
【図３】同給湯開始時のフローチャート。
【図４】同風呂の沸き上げ開始時のフローチャート。
【発明を実施するための形態】
【００１０】
次にこの発明の一実施形態を図面に基づいて説明する。
１は内方下部に筒状の内缶２を備えた外缶で、前記内缶２との間には湯水を貯湯する貯湯室３が形成すると共に、内缶２内をガンタイプ式の燃焼バーナ４が臨む燃焼室５としたものである。
【００１１】
６は内缶２内の燃焼室５と外缶１上部の排気室７とを貯湯室３を貫通して結んだ複数の煙管で、内方には排ガスの流通を遅らせて湯水との熱交換効率を向上させる為のバッフル板がそれぞれ備えられている。
【００１２】
８は貯湯室３内で煙管６の外周に巻回して備えられた風呂用熱交換器で、浴槽９とは風呂往き管１０と風呂サーミスタ１１や風呂ポンプ１２を備えた風呂戻り管１３を介して連通し、風呂ポンプ１２の駆動で浴槽水を風呂用熱交換器８に流通させることで、貯湯室３内の湯水と熱交換して加熱されて、風呂往き管１０を介して浴槽９に戻され、順次この循環を行い風呂を沸き上げるものである。
【００１３】
１４は外缶１外周に位置し内缶２上端部分と対向する位置に吸引口１５を開口し、外缶１上部で煙管６及び風呂熱交換器８の上部と対向する位置には吹出口１６を開口した連絡管で、途中には吸引と吹出を行う循環ポンプ１７を備え、給湯運転の開始当初の所定時間ここでは３分間のみ前記循環ポンプ１７が駆動して、内缶２上端の高温水を吸引口１５で吸引し、外缶１上部に運んで吹出口１６がら貯湯室３内に放出させて、一部は煙管６で加熱されて外缶１上端に備えられた給湯管１８からそのまま給湯されて立ち上がり時間を早め、残りは攪拌されて煙管６との熱交換が良好に行われるものである。
【００１４】
一方風呂の沸き上げ時の開始当初の所定時間ここでは３分間のみでは循環ポンプ１７の駆動で、内缶２上端の高温水を連絡管１４で外缶１上部まで運び、吹出口１６がら放出することで、高温水が風呂熱交換器８上部から下方に向かって流通し拡散して熱交換効率を上げて、風呂の沸き上げ運転の初期でも沸き上げが良好に行われ短時間に風呂を沸き上げられるものである。
【００１５】
１９は前記給湯管１８に備えられたフローセンサで、蛇口（図示せず）の開口による流水を検知して熱要求有りを指示するものであり、２０は給水管である。
２１は外缶１上部外周に備えられた缶体サーミスタで、貯湯温度を検知して所定温度に保持するように燃焼バーナ４の燃焼を制御するものである。
２２は燃焼バーナ４の噴霧ノズルで、先端には点火棒２３が設けられ、後端には送油管２４が接続し電磁ボンプ２５が連通されている。
【００１６】
次に図２に示す電気回路のブロック図について説明すれば、２６はマイコンからなる給湯装置の給湯制御部で、入力側にはフローセンサ１９と、リモコン（図示せず）に設けられている風呂の沸き上げスイッチ２７が接続され、出力側には燃焼バーナ４の駆動回路２８と循環ポンプ１７が接続され、又この循環ポンプ１７は給湯制御部２６内で駆動回路２８に発せられる駆動信号を受けてカウントを開始し、所定時間ここでは３分の時間をカウントすると循環ポンプ１７に駆動停止信号を発するタイマ２９に接続されている。
【００１７】
次にこの一実施形態の給湯運転の作動について、図３のフローチャートに従って説明すれば、ステップ３０でフローセンサ１９がＯＮしたかを見ていて蛇口の開口による水流発生でＹＥＳとなり、ステップ３１に進み給湯制御部２６からの信号で駆動回路２８が駆動されて燃焼バーナ４が燃焼を開始すると共に、循環ポンプ１７も同時に駆動され、燃焼バーナ４の燃焼開始で内缶２上端の高温水を吸引口１５で吸引し、外缶１上部に運んで吹出口１６がら貯湯室３内に放出させて、一部は煙管６で加熱されて外缶１上端に備えられた給湯管１８からそのまま給湯されて立ち上がり時間を早めるものであり、残りは攪拌されて煙管６との熱交換が良好に行われるものである。
【００１８】
更にステップ３２ではタイマ２９が３分をカウントしたがを判断し、ＹＥＳではステップ３３に進んで給湯制御部２６が駆動停止信号を発して循環ポンプ１７の駆動を停止させるものであり、そしてステップ３４で給湯はフローセンサ１９がＯＦＦするまで継続されるものである。
【００１９】
このようにセミ貯湯タイプの給湯装置では、給湯と同時に燃焼が開始されることで、温水が供給されるまでに時間がかかり、それまでの間に無駄に水が流されていたが、連絡管１４と循環ポンプ１７によって温水の供給が直ぐに行われると共に、貯湯室３上で温水は複数の煙管６とぶつかり乱流となって熱交換効率も向上されて、無駄な水の流出を防止し経済的であるし省エネにもなるものであり、又給湯開始当初だけで時間がたてば、貯湯室３内が温水で満たされるので今まで通りの給湯が行われるものである。
【００２０】
次にこの一実施形態の風呂の沸き上げ運転の作動について、図４のフローチャートに従って説明すれば、ステップ３５で沸き上げスイッチ２７がＯＮされると、ＹＥＳでステップ３６に進み給湯制御部２６からの信号で駆動回路２８が駆動されて燃焼バーナ４が燃焼を開始すると共に、風呂ポンプ１２及び循環ポンプ１７も同時に駆動され、燃焼バーナ４の燃焼開始で内缶２上端の高温水を連絡管１４の吸引口１５で吸引し、外缶１上部まで運び吹出口１６がら放出することで、高温水が風呂熱交換器８上部から下方に向かって流通し拡散して熱交換効率を上げて、風呂の沸き上げ運転の初期でも沸き上げが良好に行われ短時間に風呂を沸き上げられるものである。
【００２１】
更にステップ３７ではタイマ２９が３分をカウントしたがを判断し、ＹＥＳではステップ３８に進んで給湯制御部２６が駆動停止信号を発して循環ポンプ１７の駆動を停止させるものであり、そしてステップ３９で風呂の沸き上げは風呂サーミスタ１１が目標温度を検知するまで継続されるものである。
【００２２】
このようにセミ貯湯タイプの給湯装置では、風呂の沸き上げと同時に燃焼が開始されるので、貯湯室３が高温水で満たされるまで時間がかかり、それまでの間は風呂熱交換器８が加熱されないが、連絡管１４と循環ポンプ１７によって温水の供給が直ぐに行われて、良好で効率の良い熱交換が行われ、短時間に風呂を沸き上げることが出来るものである。
【符号の説明】
【００２３】
１  外缶
２  内缶
３  貯湯室
４  燃焼バーナ
５  燃焼室
６  煙管
７  排気室
１４  連絡管
１７  循環ポンプ
１８  給湯管
【図１】
2010185602.tif 000003
【図２】
2010185602.tif 000004
【図３】
2010185602.tif 000005
【図４】
2010185602.tif 000006